(57)【要約】【課題】  低コストで停電時のビル内の断水の可能性を抑制できる給水システム、給水ポンプ制御装置及び給水ポンプ制御方法を提供する。【解決手段】  給水システム１は、ビル２に設置される電気駆動式の電動ポンプ６と、電動ポンプ６と並列にビルに設置される非電気駆動式のガス駆動ポンプ７と、送電網９から供給される電力の電力供給状況を検知する電力スマートメータ１２と、電力の供給の停止を検知するとガス駆動ポンプ７に切替え制御するＥＭＳ１４を有する。【選択図】      図２
2017141648.tif 000002
【特許請求の範囲】
【請求項１】
電気駆動式の第１の給水ポンプと、前記第１の給水ポンプと並列に設置される非電気駆動式の第２の給水ポンプと、を有する給水システムの給水ポンプ制御装置であって、
前記第１の給水ポンプに供給される電力の供給状況を検知する電力供給状況検知部と、
前記電力の供給の停止を検知すると前記第２の給水ポンプに切替え制御する制御部と、
を有する給水ポンプ制御装置。
【請求項２】
前記電力供給状況検知部は、供給される電力により駆動される電力スマートメータであり、
前記制御部は、前記電力スマートメータの動作の停止により前記電力の供給の停止を検知する、
請求項１に記載の給水ポンプ制御装置。
【請求項３】
前記第２の給水ポンプは、ガスにより駆動されるガス駆動式の給水ポンプである、
請求項１又は２に記載の給水ポンプ制御装置。
【請求項４】
前記制御部は、前記第２の給水ポンプに切替え制御した後、前記電力の供給の復旧を検知すると前記第１の給水ポンプに切替え制御する、
を有する請求項１から３のいずれかに記載の給水ポンプ制御装置。
【請求項５】
前記制御部は、ガスの使用量を検針するガススマートメータである、
を有する請求項１から４のいずれかに記載の給水ポンプ制御装置。
【請求項６】
使用電力量の閾値を設定する設定部を有し、
前記制御部は、前記使用電力量が前記閾値を越えたと判断すると前記第１の給水ポンプを停止し、前記第２の給水ポンプを起動する
請求項１から５のいずれかに記載の給水ポンプ制御装置。
【請求項７】
前記制御部は、前記使用電力量が前記閾値を越えた後、一定時間閾値を下回ったと判断すると前記第２の給水ポンプを停止し、前記第１の給水ポンプを起動する
請求項６に記載の給水ポンプ制御装置。
【請求項８】
電気駆動式の第１の給水ポンプと、
前記第１の給水ポンプと並列に設置される非電気駆動式の第２の給水ポンプと、
請求項１から７に記載の給水ポンプ制御装置と、
を有する給水システム。
【請求項９】
前記給水ポンプ制御装置は、制御サーバと接続され、
前記制御サーバは、前記電力供給状況検知部から前記電力の供給状況を取得し、前記電力の供給の停止を検知すると前記制御部に前記第２の給水ポンプへの切替えを指示し、
前記制御部は前記制御サーバからの指示に基づき前記第２の給水ポンプに切替え制御する、
請求項８に記載の給水システム。
【請求項１０】
電気駆動式の第１の給水ポンプと、前記第１の給水ポンプと並列に設置される非電気駆動式の第２の給水ポンプと、を有する給水システムの給水ポンプ制御方法であって、
前記第１の給水ポンプに供給される電力の供給状況を検知し、
前記電力の供給の停止を検知すると前記第２の給水ポンプに切替え制御する、
給水ポンプ制御方法。
【発明の詳細な説明】
【技術分野】
【０００１】
本発明は、給水システム、給水ポンプ制御装置及び給水ポンプ制御方法に関し、特に給水ポンプを制御する給水システム、給水ポンプ制御装置及び給水ポンプ制御方法に関する。
【背景技術】
【０００２】
給水ポンプ制御装置は、マンションや高層ビル等で水道水の給水ポンプを制御するのに使用される。
【０００３】
例えば特許文献１には、緊急時に使用可能な水が貯留されている緊急貯水槽と、緊急貯水槽に連結された給水ポンプと、給水ポンプに駆動電力を供給する緊急発電機と、緊急時に緊急発電機を起動させると共に、給水ポンプを含む付帯設備を監視・制御する制御手段を備える電源・水源システムが開示されている。
【先行技術文献】
【特許文献】
【０００４】
【特許文献１】特開２０１３−６０７２５号公報
【発明の概要】
【発明が解決しようとする課題】
【０００５】
マンションや高層ビル等における水道水の供給には電動ポンプが多く採用されている。このような電動ポンプを採用しているマンションや高層ビル等では、停電時は断水になるという問題点があった。蓄電池等の設備を有する場合、停電時には蓄電池の電源を使用することが可能であるが、他の用途でも需要があるなか、限られた電力を有効に使用する必要がある。特許文献１に記載されているように、マンションや高層ビル等に発電システムを備える場合、停電時も水道ポンプへの電源供給は可能だが、発電システムの設備投資は高額となるため、実装備の障壁が高い。
【０００６】
本発明は、低額な設備投資で停電時のビル内の断水の可能性を抑制できる給水システム、給水ポンプ制御装置及び給水ポンプ制御方法を提供することを目的とする。
【課題を解決するための手段】
【０００７】
本発明の１態様による給水ポンプ制御装置は、電気駆動式の第１の給水ポンプと、前記第１の給水ポンプと並列に設置される非電気駆動式の第２の給水ポンプと、を有する給水システムの給水ポンプ制御装置であって、前記第１の給水ポンプに供給される電力の供給状況を検知する電力供給状況検知部と、前記電力の供給の停止を検知すると前記第２の給水ポンプに切替え制御する制御部とを有する。
【０００８】
本発明の他の態様による給水システムは、電気駆動式の第１の給水ポンプと、前記第１の給水ポンプと並列に設置される非電気駆動式の第２の給水ポンプと、上記給水ポンプ制御装置とを有する。
【０００９】
本発明のさらに他の態様による給水ポンプ制御方法は、電気駆動式の第１の給水ポンプと、前記第１の給水ポンプと並列に設置される非電気駆動式の第２の給水ポンプと、を有する給水システムの給水ポンプ制御方法であって、前記第１の給水ポンプに供給される電力の電力供給状況を検知し、前記電力の供給の停止を検知すると前記第２の給水ポンプに切替え制御する。
【発明の効果】
【００１０】
本発明の上記態様によれば、低額な設備投資で停電時のビル内の断水の可能性を抑制することが可能になる。
【図面の簡単な説明】
【００１１】
【図１】図１は、第１の実施形態の給水システムの構成を示す図である。
【図２】図２は、第１の実施形態の構成を示すブロック図である。
【図３】図３は、図２の電動ポンプ及びガス駆動ポンプの切替え制御の動作を示すフローチャートである。
【図４】図４は、第１の実施形態の第１の変形例の構成を示すブロック図である。
【図５】図５は、第１の実施形態の第２の変形例の構成を示すブロック図である。
【図６】図６は、第２の実施形態の構成を示すブロック図である。
【図７】図７は、図６の設定部による閾値の設定例を示す図である。
【図８】図８は、時間帯の使用電力量の上限を閾値として設定した場合の使用電力量の例を示す図である。
【図９】図９は、時間帯の平均電力の上限を閾値として設定した場合の使用電力量の例を示す図である。
【図１０】図１０は、図６の電動ポンプ及びガス駆動ポンプの使用電力量に基づく切替え制御の動作を示すフローチャートである。
【図１１】本発明の各実施形態におけるポンプ制御装置等を実現する情報処理装置の一例を示す図である。
【発明を実施するための形態】
【００１２】
以下、本発明の実施形態の構成について、図面を参照して説明する。
【００１３】
図１は、本発明の第１の実施形態の給水システムの構成を示す図である。給水システム１は、マンション、オフィス、施設等のビル２に供給される水道水を貯蔵する受水槽３と、各居室への水道管４と、各居室への水道管４に接続され、受水槽３から各居室の水栓５に給水するための電動駆動式の給水ポンプである電動ポンプ６を備えている。さらに本実施形態の給水システム１は、非電気駆動式、例えばガス駆動式やディーゼルエンジン駆動式の給水ポンプであるガス駆動ポンプ７と、電動ポンプ６及びガス駆動ポンプ７を制御する給水ポンプ制御装置８と、を備えている。なお受水槽がなく、ビル２に水道水を供給する水道管から電動ポンプ６及びガス駆動ポンプ７から各居室の水栓５に給水する構成となっていてもよい。電動ポンプ６及びガス駆動ポンプ７は受水槽３又はビル２に水道水を供給する水道管からに並列に接続されており、一方が停止しても他方がビル２の各居室の水栓５に給水することが可能となっている。
【００１４】
電動ポンプ６は一般的な電動駆動式の給水ポンプでよい。本実施形態では、電動ポンプ６は送電網９により電力会社１０から供給される電力により駆動されることを前提としている。
【００１５】
ガス駆動ポンプ７は、例えばガス会社から供給される都市ガスにより駆動されるガス駆動式やディーゼルエンジン駆動式の給水ポンプである。ガス駆動ポンプ７は、ガス等の燃焼によりガスタービンを駆動しポンプの軸を回転するものでよい。
【００１６】
なお本発明の各実施形態において、各装置（システム）の各構成要素は、機能単位のブロックを示している。各装置（システム）の各構成要素の一部又は全部は、例えば図１１に示すような情報処理装置１００とプログラムとの任意の組み合わせにより実現される。情報処理装置１００は、一例として、以下のような構成を含む。
【００１７】
・ＣＰＵ（Ｃｅｎｔｒａｌ  Ｐｒｏｃｅｓｓｉｎｇ  Ｕｎｉｔ）１０１
・ＲＯＭ（Ｒｅａｄ  Ｏｎｌｙ  Ｍｅｍｏｒｙ）１０２
・ＲＡＭ（Ｒａｎｄｏｍ  Ａｃｃｅｓｓ  Ｍｅｍｏｒｙ）１０３
・ＲＡＭ１０３にロードされるプログラム１０４
・プログラム１０４を格納する記憶装置１０５
・記録媒体１０６の読み書きを行うドライブ装置１０７
・通信ネットワーク１０９と接続する通信インターフェース１０８
・データの入出力を行う入出力インターフェース１１０
・各構成要素を接続するバス１１１
各実施形態における各装置の各構成要素は、これらの機能を実現するプログラム１０４をＣＰＵ１０１が取得して実行することで実現される。各装置の各構成要素の機能を実現するプログラム１０４は、例えば、予め記憶装置１０５やＲＯＭ１０２やＲＡＭ１０３に格納されており、必要に応じてＣＰＵ１０１が読み出す。
【００１８】
なお、プログラム１０４は、通信ネットワーク１０９を介してＣＰＵ１０１に供給されてもよいし、予め記録媒体１０６に格納されており、ドライブ装置１０７が当該プログラムを読み出してＣＰＵ１０１に供給してもよい。
【００１９】
各装置の実現方法には、様々な変形例がある。例えば、各装置は、構成要素毎にそれぞれ別個の情報処理装置１００とプログラムとの任意の組み合わせにより実現されてもよい。また、各装置が備える複数の構成要素が、一つの情報処理装置１００とプログラムとの任意の組み合わせにより実現されてもよい。
【００２０】
また、各装置の各構成要素の一部又は全部は、その他の汎用または専用の回路（ｃｉｒｃｕｉｔｒｙ）、プロセッサ等やこれらの組み合わせによって実現される。これらは、単一のチップによって構成されてもよいし、バスを介して接続される複数のチップによって構成されてもよい。各装置の各構成要素の一部又は全部は、上述した回路等とプログラムとの組み合わせによって実現されてもよい。
【００２１】
各装置の各構成要素の一部又は全部が複数の情報処理装置や回路等により実現される場合には、複数の情報処理装置や回路等は、集中配置されてもよいし、分散配置されてもよい。例えば、情報処理装置や回路等は、クライアントアンドサーバシステム、クラウドコンピューティングシステム等、各々が通信ネットワークを介して接続される形態として実現されてもよい。
【００２２】
まず本発明の給水ポンプ制御装置の概要を説明する。給水システムは、ビル２の居室の水栓５に給水する電気駆動式の第１の給水ポンプと、その第１の給水ポンプと並列にビル２の居室の水栓５に給水する非電気駆動式の第２の給水ポンプとを備えている。また給水システムは、第１の給水ポンプに供給される電力の供給状況を検知する電力供給状況検知部と、電力の供給の停止を検知すると第２の給水ポンプに切替え制御する制御部とを有する給水ポンプ制御装置を備えている。給水ポンプ制御装置が停電を検知すると非電気駆動式の第２の給水ポンプにより給水を開始する。本発明によれば、高額な発電施設を備える必要がなく、非電気駆動式の第２の給水ポンプと上記の給水ポンプ制御装置という低額な設備投資で、停電時、ビル内の断水の可能性を抑制できる。
【００２３】
図２は、図１の給水ポンプ制御装置の構成を示すブロック図である。
【００２４】
図２に示すように、給水ポンプ制御装置８は、電動駆動式の給水ポンプである電動ポンプ６と、ガス駆動式の給水ポンプであるガス駆動ポンプ７に接続され、これらを制御する制御装置である。給水ポンプ制御装置８は、送電網９により電力会社１０から供給される電力のビル２全体の使用量を検針する電力スマートメータ１２と、を備える。
【００２５】
電力スマートメータ１２は、電動ポンプ６に供給される電力の供給状況を検知する電力供給状況検知部として機能する。さらに給水ポンプ制御装置８は、ビル２のエネルギー管理をするためのＥＭＳ（Ｅｎｅｒｇｙ  Ｍａｎａｇｅｍｅｎｔ  Ｓｙｓｔｅｍ）１４も備える。ＥＭＳ１４は、電力スマートメータ１２及び図示しないガススマートメータからリアルタイムで電力検針値及びガス検針値を取得して、ビル２のエネルギー管理をする。ＥＭＳ１４は、電動ポンプ６に供給される電力の供給状況に応じて電動ポンプ６及びガス駆動ポンプ７を制御し、電力の供給の停止を検知するとガス駆動ポンプ７に切替え制御する制御部として機能する。
【００２６】
電力スマートメータ１２は、送電網９により供給される電力で駆動される。電力スマートメータ１２は、図示しないいわゆるＡルートにより電力会社１０と接続している。なお電力スマートメータ１２は、３ＧやＬＴＥ、またマルチホップにより電力会社１０と接続されてもよい。電力スマートメータ１２は、例えばビル２全体で使用した３０分ごとの電力検針値を送信する。なお間隔は３０分に限らなくてもいい。電力スマートメータ１２は、高圧の使用電力量を検針するものに限らなくてもよい。
【００２７】
ガススマートメータは停電時に動作可能なように電池で駆動される。ガススマートメータは図示しない通信ユニットでガスの検針値をガス会社に送信する。
【００２８】
ＥＭＳ１４は、通常は電力線からの電力で駆動し、停電時にはバックアップ用の電池で駆動される。電力スマートメータ１２は、いわゆるＢルートでＥＭＳ１４と接続している。電力スマートメータ１２及びガススマートメータは、特に限定されないが、例えば９２０ＭＨｚ帯を使用する特定小電力無線方式でＥＭＳ１４と無線通信することができる。電力スマートメータ１２は、例えば、Ｗｉ−ＳＵＮ（Ｗｉｒｅｌｅｓｓ  Ｓｍａｒｔ  Ｕｔｉｌｉｔｙ  Ｎｅｔｗｏｒｋ）を通信方式として採用することができる。これは、無線ＬＡＮ（Ｌｏｃａｌ  Ａｒｅａ  Ｎｅｔｗｏｒｋ）（所謂「Ｗｉ−Ｆｉ（Ｗｉｒｅｌｅｓｓ  Ｆｉｄｅｌｉｔｙ）」）と比べて低消費電力、到達距離が長い、および、他の無線との電波干渉を起こしにくい、といった特長を有する。また、電波の回り込み特性に優れているので、壁や障害物がある場所でも安定した通信を確保できる。９２０ＭＨｚ帯方式は、他の特定小電力無線方式（４００ＭＨｚ帯）よりも通信速度が速い（最大２００ｋｂｐｓ程度）という点においても好ましい。また、電力スマートメータ１２は、特定小電力無線方式の通信を行う通信ユニットとともに、３Ｇ（３ｒｄ  Ｇｅｎｅｒａｔｉｏｎ）やＬＴＥ（Ｌｏｎｇ  Ｔｅｒｍ  Ｅｖｏｌｕｔｉｏｎ）等の携帯電話通信方式を利用した携帯電話通信網に基地局（不図示）を介して接続可能な通信ユニットを備えてもよい。ＥＭＳ１４は、送電網９により供給される電力の電力供給状況を検知し、電力供給状況に基づき電動ポンプ６及びガス駆動ポンプ７を制御する。
【００２９】
次に、本実施形態の動作について説明する。図３は、図２の電動ポンプ６及びガス駆動ポンプ７の切替え制御の動作を示すフローチャートである。
【００３０】
送電網９からの電力供給が停止（停電）すると、電動ポンプ６及び電力スマートメータ１２は、動作を停止する。ＥＭＳ１４は、電力スマートメータ１２の動作の停止により停電を検出し、すなわち電動ポンプに供給される電力が停止したことを検知すると（ステップＳ１）、ガス駆動ポンプ７に起動を指示する（ステップＳ２）。ガス駆動ポンプ７がＥＭＳ１４の指示に基づいて起動し、給水を開始する。
【００３１】
電力供給が再開されると、電力スマートメータ１２は起動する。ＥＭＳ１４は電力スマートメータ１２の起動により復電を検知し、すなわち電動ポンプに供給される電力が復旧したことを検知すると（ステップＳ３）、ガス駆動ポンプ７に停止を指示し（ステップＳ４）、電動ポンプ６に起動を指示する（ステップＳ５）。ガス駆動ポンプ７はＥＭＳ１４の指示に基づいて停止し、給水を停止する。電動ポンプ６はＥＭＳ１４の指示に基づいて起動し、給水を開始する。
【００３２】
このように本実施形態によれば、給水ポンプ制御装置８が停電を検知するとガス駆動ポンプにより給水を開始する。本実施形態によれば、高額な発電施設を備える必要がなくガス駆動ポンプ７と給水ポンプ制御装置８という低額な設備投資で、停電時、ビル内の断水の可能性を抑制できる。
【００３３】
なお、ガススマートメータが通信ユニットでガスの検針値をガス会社に送信するとして説明したが、これに限られない。電力スマートメータがガススマートメータからガスの検針値を収集し、電力スマートメータの通信ユニットでガスの検針値をガス会社に送信してもよい。
【００３４】
さらに、電動ポンプ６とガス駆動ポンプ７の切替え制御は、ＥＭＳ１４を用いず、例えば停電時はガススマートメータがガス駆動ポンプ７を起動し、復電時はガススマートメータが電動ポンプ６を起動し、ガス駆動ポンプ７を停止することで切替え制御を行ってもよい。
【００３５】
図４は、第１の変形例の構成を示すブロック図である。本変形例の給水ポンプ制御装置１５では、電力供給時には、電力スマートメータ１６とガススマートメータ１７は無線（Ｗｉ−ＳＵＮ等）で接続する。電力スマートメータ１６は、ガススマートメータ１７からのＤａｔａ−ｒｅｑ信号をいつでも受け取れるように、常時待ち受けで動作する。ガススマートメータ１７は、スリープモードの機能を搭載し、間欠スリープ動作を行う。ガススマートメータ１７は電力スマートメータ１６との接続を確認する。確認の動作は、ガススマートメータ１７から間欠にデータの送信を要求するＤａｔａ−ｒｅｑ信号を送信し、電力スマートメータ１６がＤａｔａ−ｒｅｑ信号を受信すると確認応答（ＡＣＫ）を返信することで行う。
【００３６】
本変形例の電動ポンプ及びガス駆動ポンプの切替え制御の動作について説明する。停電時は、ガススマートメータ１７に電力スマートメータ１６からの応答が返らない。ガススマートメータ１７は、図３のステップＳ１と同様に、停電しているか判断し、例えば、データの送信を要求するＤａｔａ−ｒｅｑ信号を５回送信しても応答が返らない場合、停電と判断する。ガススマートメータ１７は、停電、すなわち電動ポンプ６に供給される電力が停止したと判断した場合、図３のステップＳ２と同様に、ガス駆動ポンプ７の起動を指示する。そしてガス駆動ポンプ７がガススマートメータ１７の指示に基づき給水を開始する。
【００３７】
復電した場合には、電力スマートメータ１６が起動し、ガススマートメータ１７と接続される。ガススマートメータ１７は、図３のステップＳ３と同様に、復電したか判断する。ガススマートメータ１７は、復電、すなわち電動ポンプ６に供給される電力が復旧したことを検知すると、図３のステップＳ４、Ｓ５と同様に、ガス駆動ポンプ７を停止し、電動ポンプ６の起動を通知する。
【００３８】
このような構成によって、ＥＭＳを必要としない簡単な構成で停電時のビル内の断水の可能性を抑制できる。
【００３９】
さらに電動ポンプ６及びガス駆動ポンプ７の切替え制御は、ネットワークを経由して接続される制御サーバ例えばクラウドＥＭＳが行ってもよい。図５は、第２の変形例の構成を示すブロック図である。本変形例の給水ポンプ制御装置１８では、ＥＭＳ１９は、ネットワークを経由して接続される制御サーバであるクラウドＥＭＳ２０といわゆるＣルートで接続され、クラウドＥＭＳ２０からの指示に基づき電動ポンプ６及びガス駆動ポンプ７を制御する。
【００４０】
本変形例の電動ポンプ６及びガス駆動ポンプ７の切替え制御の動作について説明する。本変形例の給水ポンプ制御装置１８においては、電力供給状況に基づく電動ポンプ６及びガス駆動ポンプ７の切替え制御は、クラウドＥＭＳ２０が図３と同様な動作によって行う。
【００４１】
電力供給停止（停電）の場合は、電動ポンプ６及び電力スマートメータ１２が停止する。クラウドＥＭＳ２０は、図３のステップＳ１と同様に、停電しているか判断し、停電、すなわち電動ポンプ６に供給される電力が停止したことを検知した場合、図３のステップＳ２と同様に、ＥＭＳ１９へガス駆動ポンプ７の起動を指示する。
【００４２】
ＥＭＳ１９は、クラウドＥＭＳ２０からの指示に基づいてガス駆動ポンプ７へ起動を指示する。ガス駆動ポンプ７はＥＭＳ１９からの指示に基づいて起動し、給水を開始する。
【００４３】
復電時、電力供給が再開され、電力スマートメータ１２が起動すると、図３のステップＳ３と同様に、クラウドＥＭＳ２０は復電したか判断し、復電、すなわち電動ポンプ６に供給される電力が復旧したことを検知した場合、図３のステップＳ４、Ｓ５と同様に、ＥＭＳ１９へガス駆動ポンプ７の停止、電動ポンプ６の起動を指示する。
【００４４】
ＥＭＳ１９は、クラウドＥＭＳ２０からの指示に基づいてガス駆動ポンプ７へ停止指示、電動ポンプ６へ起動指示を出力する。
【００４５】
このような構成によって、停電時のビル内の断水の可能性を抑制できるとともに、ビル側に設置されている設備を簡単な構成とすることができる。
【００４６】
次に本発明の第２の実施形態について説明する。本実施形態においては、ＥＭＳは、電力需要あるいはデマンドレスポンス制御状況に応じてマンション等のビル内での使用電力量の閾値の設定が可能な構成となっている。
【００４７】
図６は、第２の実施形態の構成を示すブロック図である。図６に示すように、本実施形態の給水ポンプ制御装置２１は、使用電力量の閾値の設定を行う設定部２２を備えている。ＥＭＳ２３は、停電時、図３のように電動ポンプ６からガス駆動ポンプ７に切替える切替え制御を行う。それとともに、ＥＭＳ２３は、使用電力量が設定されている閾値を超えた場合にも、電動ポンプ６からガス駆動ポンプ７に切替える制御を行う。
【００４８】
図７は、図６の設定部による閾値の設定例を示す図である。設定部２２により、図７に示すように、所定時間Ｔ、例えば１０分間の時間帯に区切り、各時間帯について閾値が設定される。例えば、時刻Ｔ１から時刻Ｔ２の時間帯における使用電力量の上限が、閾値Ｌ１と設定され、時刻Ｔ２から時刻Ｔ３までの時間帯における使用電力量の上限が、閾値Ｌ２と設定される。
【００４９】
この場合ＥＭＳ２３は、電力スマートメータ１２から取得した使用電力量に基づいて、例えば、時刻Ｔ１から時刻Ｔ２の時間帯においては、時間帯の開始時刻Ｔ１からの使用電力量を算出して閾値Ｌ１を越えたか判断し、次の時間帯の開始時刻Ｔ２になる前に閾値Ｌ１を越えた場合、電動ポンプ６からガス駆動ポンプ７に切替える制御を行う。
【００５０】
図８は、時間帯の使用電力量の上限を閾値として設定した場合の使用電力量の例を示す図である。図８に示すように、例えば、時刻Ｔ１から時刻Ｔ２の時間帯において累積の使用電力量が時刻Ｔａにおいて閾値に達すると、ガス駆動に切り変えられる。切替えられた後は、電力は使用されず、その時間帯の累積の使用電力量は一定値となる。次の時間帯の開始時刻Ｔ２になるとＥＭＳ２３はガス駆動ポンプ７から電動ポンプ６に切り替える。
【００５１】
他の例として、例えば平均電力の上限が閾値として設定されてもよい。すなわち図７において、時刻Ｔ１から時刻Ｔ２の時間帯における単位時間あたりの使用電力量の上限が、閾値Ｌ１と設定され、時刻Ｔ２から時刻Ｔ３までの時間帯における単位時間あたりの使用電力量の上限が、閾値Ｌ２と設定される。
【００５２】
この場合、ＥＭＳ２３は、電力スマートメータ１２から取得した使用電力量に基づいて、例えば、時刻Ｔ１から時刻Ｔ２の時間帯においては、時間帯の単位時間当たり使用電力量を算出して閾値Ｌ１を越えたか判断し、次の時間帯の開始時刻Ｔ２になる前に閾値を越えた場合、電動ポンプ６からガス駆動ポンプ７に切替える制御を行う。
【００５３】
図９は、時間帯の平均電力の上限を閾値として設定した場合の使用電力量の例を示す図である。この場合は、ＥＭＳ２３は、図９に示すように例えば時刻Ｔｂにおいて単位時間当たり使用電力量が閾値Ｌ１に達するとガス駆動ポンプ７に切り替える。その後、単位時間当たり使用電力量が閾値Ｌ１を一定時間下回るとＥＭＳ２３は、電動ポンプ６に切り替える。このようにして点線で示すような閾値Ｌ１を越える電力需要がある時間帯は、単位時間当たり使用電力量が閾値Ｌ１となる範囲で電力が使用される。
【００５４】
本実施形態の使用電力量に基づく電動ポンプ６及びガス駆動ポンプ７の切替え制御の動作について説明する。図１０は、第２の実施形態の使用電力量に基づく電動ポンプ６及びガス駆動ポンプ７の切替え制御の動作を示すフローチャートである。
【００５５】
ＥＭＳ２３は、電力スマートメータ１２より使用電力量のデータを取得する（ステップＳ１１）。そしてＥＭＳ２３は、設定部２２により設定されている使用電力量の閾値を超えているか判断する（ステップＳ１２）。閾値として時間帯における使用電力量の上限が設定された場合、ＥＭＳ２３は、電力スマートメータ１２から取得した使用電力量に基づいて、各時間帯の開始時刻からの使用電力量を算出し、閾値を越えたか判断する。また平均電力の上限が設定された場合、ＥＭＳ２３は、電力スマートメータ１２から取得した使用電力量に基づいて、各時間帯の単位時間当たり使用電力量を算出し閾値を越えたか判断する。
【００５６】
閾値を越えている場合は、電動ポンプ６の停止を指示し（ステップＳ１３）、ガス駆動ポンプ７の起動を指示する（ステップＳ１４）。そしてガス駆動ポンプ７での給水が開始される。
【００５７】
その後、使用電力量のデータを取得し（ステップＳ１５）、使用電力量が閾値を下回った場合、使用電力量が閾値を下回っている時間が一定時間に達したか判断する（ステップＳ１６）。閾値として時間帯における使用電力量の上限が設定された場合、ＥＭＳ２３は、次の時間帯の開始時刻になったか判断する。閾値として平均電力の上限が設定された場合、ＥＭＳ２３は、各時間帯の単位時間当たり使用電力量が閾値を下回っている時間が一定時間に達したか判断する。
【００５８】
一定時間に達した場合、ＥＭＳ２３は、ガス駆動ポンプ７を停止し（ステップＳ１７）、電動ポンプ６を起動する（ステップＳ１８）。
【００５９】
本実施形態によれば使用電力量の閾値が設定された場合、使用電力を閾値以下に制御することが可能になる。
【００６０】
なお、本実施形態において給水ポンプ制御装置２１は、第１の実施形態の第１の変形例と同様に、ＥＭＳを備えず、ガススマートメータが、図１０のステップＳ１１からＳ１８の処理を行うとしてもよい。
【００６１】
さらに、給水ポンプ制御装置２１は、第１の実施形態の第２の変形例と同様に、クラウド、すなわちクラウドＥＭＳ２０が設定部２２により設定されている使用電力量の閾値を超えているか判断し、図１０のステップＳ１１からＳ１８の処理を行うとしてもよい。
【００６２】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００６３】
例えば、電力スマートメータ１２の動作の停止により電動ポンプ６に供給される電力が停止したことを検知するとして説明したが、これに限られない。ＥＭＳ、ガススマートメータ又はクラウドＥＭＳが、電動ポンプ６との間で電源供給状況を確認し、電動ポンプ６への電源供給状況を検知するとしてもよい。例えばＥＭＳ等が電動ポンプ６に電源供給状況を問い合わせる信号を送信し、電動ポンプから応答を返信することで電動ポンプ６への電源供給を確認してもよい。またＥＭＳ等は、電動ポンプ６から応答がない場合、電動ポンプ６への電源供給の停止を検知するとしてもよい。
【００６４】
本発明の各実施形態は、まとめると以下のようにも記載できる。なお本発明の各実施形態はこれらに限られるものではない。
（付記１）
ビルに設置される電気駆動式の第１の給水ポンプと、前記第１の給水ポンプと並列に前記ビルに設置される非電気駆動式の第２の給水ポンプと、を有する給水システムの給水ポンプ制御装置であって、
前記第１の給水ポンプに供給される電力の供給状況を検知する電力供給状況検知部と、
前記電力の供給の停止を検知すると前記第２の給水ポンプに切替え制御する制御部と、
を有する給水ポンプ制御装置。
（付記２）
前記電力供給状況検知部は、前記ビルに供給される電力により駆動される電力スマートメータであり、
前記制御部は、前記電力スマートメータの動作の停止により前記電力の供給の停止を検知する、
付記１に記載の給水ポンプ制御装置。
（付記３）
前記第２の給水ポンプは、前記ビルに供給されるガスにより駆動されるガス駆動式の給水ポンプである、
付記１又は２に記載の給水ポンプ制御装置。
（付記４）
前記制御部は、前記第２の給水ポンプに切替え制御した後、前記電力の供給の復旧を検知すると前記第１の給水ポンプに切替え制御する、
付記１から３のいずれかに記載の給水ポンプ制御装置。
（付記５）
前記制御部は、前記ビルのガスの使用量を検針するガススマートメータである、
付記１から４のいずれかに記載の給水ポンプ制御装置。
（付記６）
前記ビル内での使用電力量の閾値を設定する設定部を有し、
前記制御部は、前記ビル内での使用電力量が前記閾値を越えたと判断すると前記第１の給水ポンプを停止し、前記第２の給水ポンプを起動する
付記１から５のいずれかに記載の給水ポンプ制御装置。
（付記７）
前記制御部は、前記ビル内での使用電力量が前記閾値を越えた後、一定時間閾値を下回ったと判断すると前記第２の給水ポンプを停止し、前記第１の給水ポンプを起動する
付記６に記載の給水ポンプ制御装置。
（付記８）
ビルに設置される電気駆動式の第１の給水ポンプと、
前記第１の給水ポンプと並列に前記ビルに設置される非電気駆動式の第２の給水ポンプと、
請求項１から７に記載の給水ポンプ制御装置と、
を有する給水システム。
（付記９）
前記給水ポンプ制御装置は、制御サーバと接続され、
前記制御サーバは、前記電力供給状況検知部から前記電力の供給状況を取得し、前記電力の供給の停止を検知すると前記制御部に前記第２の給水ポンプへの切替えを指示し、
前記制御部は前記制御サーバからの指示に基づき前記第２の給水ポンプに切替え制御する、
付記８に記載の給水システム。
（付記１０）
ビルに設置される電気駆動式の第１の給水ポンプと、前記第１の給水ポンプと並列に前記ビルに設置される非電気駆動式の第２の給水ポンプと、を有する給水システムの給水ポンプ制御方法であって、
前記第１の給水ポンプに供給される電力の供給状況を検知し、
前記電力の供給の停止を検知すると前記第２の給水ポンプに切替え制御する、
給水ポンプ制御方法。
（付記１１）
前記ビルに供給される電力により駆動される電力スマートメータの動作の停止により前記電力の供給の停止を検知する、
付記１０に記載の給水ポンプ制御方法。
（付記１２）
前記第２の給水ポンプに切替え制御した後、前記電力の供給の復旧を検知すると前記第１の給水ポンプに切替え制御する、
付記１０又は１１に記載の給水ポンプ制御方法。
（付記１３）
前記ビル内での使用電力量の閾値を設定し、
前記ビル内での使用電力量が前記閾値を越えたと判断すると前記第１の給水ポンプを停止し、前記第２の給水ポンプを起動する
付記１０から１２のいずれかに記載の給水ポンプ制御方法。
（付記１４）
前記ビル内での使用電力量が前記閾値を越えた後、一定時間閾値を下回ったと判断すると前記第２の給水ポンプを停止し、前記第１の給水ポンプを起動する
付記１３に記載の給水ポンプ制御方法。
（付記１５）
ビルに設置される電気駆動式の第１の給水ポンプと、前記第１の給水ポンプと並列に前記ビルに設置される非電気駆動式の第２の給水ポンプと、を有する給水システムの情報処理装置に、
前記第１の給水ポンプに供給される電力の供給状況を検知する処理と、
前記電力の供給の停止を検知すると前記第２の給水ポンプに切替え制御する処理と、
を実行させる給水ポンプ制御プログラム。
（付記１６）
前記情報処理装置に、
前記ビルに供給される電力により駆動される電力スマートメータの動作の停止により前記電力の供給の停止を検知する処理を実行させる付記１５に記載の給水ポンプ制御プログラム。
（付記１７）
前記情報処理装置に、
前記第２の給水ポンプに切替え制御した後、前記電力の供給の復旧を検知すると前記第１の給水ポンプに切替え制御する処理を実行させる付記１５又は１６に記載の給水ポンプ制御プログラム。
（付記１８）
前記情報処理装置に、
前記ビル内での使用電力量の閾値を設定する処理と、
前記ビル内での使用電力量が前記閾値を越えたと判断すると前記第１の給水ポンプを停止し、前記第２の給水ポンプを起動する処理と、
を実行させる付記１５から１７のいずれかに記載の給水ポンプ制御プログラム。
（付記１９）
前記情報処理装置に、
前記ビル内での使用電力量が前記閾値を越えた後、一定時間閾値を下回ったと判断すると前記第２の給水ポンプを停止し、前記第１の給水ポンプを起動する
付記１８に記載の給水ポンプ制御プログラム。
【符号の説明】
【００６５】
１    給水システム
２    ビル
３    受水槽
４    水道管
５    水栓
６    電動ポンプ
７    ガス駆動ポンプ
８、１５、１８、２１    給水ポンプ制御装置
９    送電網
１０    電力会社
１２、１６    電力スマートメータ
１７    ガススマートメータ
１４、１９、２３    ＥＭＳ
２０    クラウドＥＭＳ
２２    設定部
１００    情報処理装置
１０１    ＣＰＵ
１０２    ＲＯＭ
１０３    ＲＡＭ
１０４    プログラム
１０５    記憶装置
１０６    記録媒体
１０７    ドライブ装置
１０８    通信インターフェース
１０９    通信ネットワーク
１１０    入出力インターフェース
１１１    バス
【図１】
2017141648.tif 000003
【図２】
2017141648.tif 000004
【図３】
2017141648.tif 000005
【図４】
2017141648.tif 000006
【図５】
2017141648.tif 000007
【図６】
2017141648.tif 000008
【図７】
2017141648.tif 000009
【図８】
2017141648.tif 000010
【図９】
2017141648.tif 000011
【図１０】
2017141648.tif 000012
【図１１】
2017141648.tif 000013